(57)【特許請求の範囲】
【請求項１】
ネットワークを介して端末装置に接続されるカード管理装置であって、
予めカードを一意に識別するカード識別情報と前記端末装置を一意に識別するユーザ識別情報とを関連付けて記憶する許諾者記憶手段と、
前記端末装置から前記ユーザ識別情報と前記カード識別情報を受信する受信手段と、
前記受信手段が受信した前記ユーザ識別情報と前記カード識別情報及び前記許諾者記憶手段に記憶されている各情報を基に、前記カードを利用することができるユーザの情報を記憶する利用者記憶手段と、を備え、
前記ユーザ識別情報は、前記端末装置のメールアドレスであり、前記カード識別情報は、前記カードのＩＤ番号であり、
前記許諾者記憶手段は、予め前記ＩＤ番号と前記端末装置のメールアドレスとを関連付けて記憶し、
前記受信手段は、前記端末装置から本文に前記ＩＤ番号が記載されている電子メールを受信し、前記電子メールから前記ＩＤ番号と送信元メールアドレスを取得し、
前記利用者記憶手段は、前記許諾者記憶手段に記憶されている前記ＩＤ番号及び前記メールアドレスを基に、前記受信手段が取得した前記送信元メールアドレスをカード利用者の情報として、前記送信元メールアドレスと前記ＩＤ番号とを関連付けて記憶する、
ことを特徴とするカード管理装置。
【請求項２】
前記利用者記憶手段は、前記端末装置から受信した前記カード識別情報が前記許諾者記憶手段に記憶されているか否かを判別し、該カード識別情報が前記許諾者記憶手段に記憶されている場合、前記端末装置から受信した前記ユーザ識別情報が該カード識別情報に関連付けて前記許諾者記憶手段に記憶されているか否かを判別する、
ことを特徴とする請求項１に記載のカード管理装置。
【請求項３】
前記利用者記憶手段は、前記許諾者記憶手段に、前記端末装置から受信した前記カード識別情報が記憶されていない場合、または該カード識別情報に関連付けて前記端末装置から受信した前記ユーザ識別情報が記憶されていない場合、該カード識別情報が異常である旨の情報を前記端末装置に送信する、
ことを特徴とする請求項２に記載のカード管理装置。
【請求項４】
前記利用者記憶手段は、前記許諾者記憶手段に、前記端末装置から受信した前記カード識別情報が記憶されており、かつ、該カード識別情報に関連付けて前記端末装置から受信した前記ユーザ識別情報が記憶されている場合、該ユーザ識別情報と該カード識別情報とを関連付けて記憶し、該カード識別情報が正常である旨の情報を前記端末装置に送信する、
ことを特徴とする請求項２又は３に記載のカード管理装置。
【請求項５】
ネットワークを介してリーダ装置にさらに接続され、
前記リーダ装置から前記カード識別情報を受信し、前記利用者記憶手段に記憶された情報を基に、前記カード識別情報に対応する前記カードが利用できるか否かを判別する判別手段をさらに備え、
前記判別手段は、前記リーダ装置から受信した前記カード識別情報が前記利用者記憶手段に記憶されているか否かを判別し、該カード識別情報が前記利用者記憶手段に記憶されている場合、該カード識別情報に関連付けられた前記ユーザ識別情報が前記利用者記憶手段に記憶されているか否かを判別する、
ことを特徴とする請求項４に記載のカード管理装置。
【請求項６】
前記判別手段は、前記利用者記憶手段に、前記リーダ装置から受信した前記カード識別情報が記憶されていない場合、または該カード識別情報に関連付けられた前記ユーザ識別情報が記憶されていない場合、該カード識別情報に対応するカードが利用不可であると判別し、該カードが利用不可である旨の情報を前記リーダ装置に送信する、
ことを特徴とする請求項５に記載のカード管理装置。
【請求項７】
前記判別手段は、前記利用者記憶手段に、前記リーダ装置から受信した前記カード識別情報が記憶されており、かつ、該カード識別情報に関連付けられた前記ユーザ識別情報が記憶されている場合、前記カード識別情報に対応する前記カードが利用可能であると判別し、該カードが利用可能である旨の情報を前記リーダ装置に送信する、
ことを特徴とする請求項５又は６に記載のカード管理装置。
【請求項８】
前記許諾者記憶手段は、さらにパスワード情報を関連付けて記憶し、
前記受信手段は、前記端末装置からさらに前記パスワード情報を受信し、
前記利用者記憶手段は、前記許諾者記憶手段に記憶されている前記パスワード情報と前記受信手段が受信した前記パスワード情報とを比較する、
ことを特徴とする請求項１乃至７のいずれか１項に記載のカード管理装置。
【請求項９】
前記利用者記憶手段は、所定の時刻が経過した後、前記カード識別情報に関連付けて記憶している前記ユーザ識別情報を削除する、
ことを特徴とする請求項４乃至８のいずれか１項に記載のカード管理装置。
【請求項１０】
前記カード識別情報は、ＩＣチップを搭載したＩＣカードを一意に識別する識別情報である、
ことを特徴とする請求項１乃至９のいずれか１項に記載のカード管理装置。
【請求項１１】
カード管理装置と、ネットワークを介して前記カード管理装置に接続される端末装置と、を備えるカード管理システムであって、
前記端末装置は、
カードからカードを一意に識別するカード識別情報と前記カード管理装置のメールアドレスを読み取る読取手段と、
前記読取手段が取得した前記カード識別情報を本文に含め、前記読取手段が取得した前記カード管理装置のメールアドレス宛に電子メールとして送信する電子メール送信手段と、を備え、
前記カード管理装置は、
予め前記カード識別情報と前記端末装置のメールアドレスとを関連付けて記憶する許諾者記憶手段と、
前記端末装置から本文に前記カード識別情報が記載されている前記電子メールを受信し、前記電子メールから前記カード識別情報と送信元メールアドレスを取得する電子メール受信手段と、
前記許諾者記憶手段に記憶されている前記カード識別情報及び前記メールアドレスを基に、前記電子メール受信手段が取得した前記送信元メールアドレスをカード利用者の情報として、前記送信元メールアドレスと前記カード識別情報とを関連付けて記憶する利用者記憶手段と、を備える、
ことを特徴とするカード管理システム。
【請求項１２】
前記読取手段は、前記カードに印刷されている二次元コードから前記カード識別情報と前記カード管理装置のメールアドレスとを読み取る、
ことを特徴とする請求項１１に記載のカード管理システム。
【請求項１３】
ネットワークを介して前記カード管理装置に接続されるリーダ装置をさらに備え、
前記リーダ装置は、
前記カードから前記カード識別情報を取得する取得手段と、
前記取得手段が取得した前記カード識別情報を前記カード管理装置に送信する送信手段と、を備え、
前記カード管理装置は、
前記リーダ装置から前記カード識別情報を受信し、前記利用者記憶手段に記憶された情報を基に、前記カード識別情報に対応する前記カードが利用できるか否かを判別する判別手段と、をさらに備える、
ことを特徴とする請求項１１又は１２に記載のカード管理システム。
【請求項１４】
カード管理装置と、ネットワークを介して前記カード管理装置に接続される端末装置と、を備えるシステムでカードを管理する方法であって、
前記端末装置がカードからカードを一意に識別するカード識別情報と前記カード管理装置のメールアドレスを読み取る読取ステップと、
前記端末装置が前記読取ステップで取得した前記カード識別情報を本文に含め、前記読取ステップで取得した前記カード管理装置のメールアドレス宛に電子メールとして送信する電子メール送信ステップと、
前記カード管理装置が予め前記カード識別情報と前記端末装置のメールアドレスとを関連付けて記憶する許諾者記憶ステップと、
前記カード管理装置が前記端末装置から本文に前記カード識別情報が記載されている前記電子メールを受信し、前記電子メールから前記カード識別情報と送信元メールアドレスを取得する電子メール受信ステップと、
前記カード管理装置が前記許諾者記憶ステップで記憶された前記カード識別情報及び前記メールアドレスを基に、前記電子メール受信ステップで取得した前記送信元メールアドレスをカード利用者の情報として、前記送信元メールアドレスと前記カード識別情報とを関連付けて記憶する利用者記憶ステップと、を備える、
ことを特徴とするカード管理方法。
【請求項１５】
ネットワークを介して端末装置に接続されるコンピュータに、
予めカードを一意に識別するカード識別情報と前記端末装置を一意に識別するユーザ識別情報とを関連付けて記憶する許諾者記憶ステップと、
前記端末装置から前記ユーザ識別情報と前記カード識別情報を受信する受信ステップと、
前記受信ステップで受信した前記ユーザ識別情報と前記カード識別情報及び前記許諾者記憶ステップで記憶された各情報を基に、前記カードを利用することができるユーザの情報を記憶する利用者記憶ステップと、を実行させるプログラムであって、
前記ユーザ識別情報は、前記端末装置のメールアドレスであり、前記カード識別情報は、前記カードのＩＤ番号であり、
前記許諾者記憶ステップで、予め前記ＩＤ番号と前記端末装置のメールアドレスとを関連付けて記憶し、
前記受信ステップで、前記端末装置から本文に前記ＩＤ番号が記載されている電子メールを受信し、前記電子メールから前記ＩＤ番号と送信元メールアドレスを取得し、
前記利用者記憶ステップで、前記許諾者記憶ステップで記憶されている前記ＩＤ番号及び前記メールアドレスを基に、前記受信ステップで取得した前記送信元メールアドレスをカード利用者の情報として、前記送信元メールアドレスと前記ＩＤ番号とを関連付けて記憶する、
ことを特徴とするプログラム。
【発明の詳細な説明】
【技術分野】
【０００１】
本発明は、カード管理装置、カード管理システム、カード管理方法及びプログラムに関する。
【背景技術】
【０００２】
ＩＣ（Ｉｎｔｅｇｒａｔｅｄ  Ｃｉｒｃｕｉｔ）カードは、従来の磁気カード等と比較して数十倍から数千倍の情報量を記憶することができるため、ＩＣカードを利用したサービスが増加している。
【０００３】
例えば、特許文献１は、端末が読み取った非接触ＩＣカードのチップＩＤを基に個人情報テーブルからユーザを特定し、特定したユーザのサービスを受ける資格の有無を判別するＩＣカードを用いた認証システムを開示している。
【先行技術文献】
【特許文献】
【０００４】
【特許文献１】特開２０１０−１９８５０５号公報
【発明の概要】
【発明が解決しようとする課題】
【０００５】
特許文献１が開示するようなＩＣカードを利用するシステムは、システムを利用するユーザそれぞれがＩＣカードを所有している必要がある。すなわち、１枚のＩＣカードに対して１人のユーザが割り当てられることになる。
【０００６】
従って、特許文献１が開示するようなシステムは、それぞれのユーザに対してＩＣカードを準備する必要があるため、コスト高となる。
【０００７】
例えば、企業内部等の限られた範囲内でＩＣカードを利用する場合、１枚のカードを複数ユーザで利用することでコストを抑えることが考えられる。しかしながら、通常、ＩＣカードを利用するシステムでは、利用者本人以外のＩＣカードの利用が禁じられており、１枚のＩＣカードを複数ユーザで利用すると、ＩＣカードを利用したユーザの特定が困難になり、セキュリティのリスクが高まる。
【０００８】
このような問題に対して、高いセキュリティを確保した上で、ＩＣカードのような情報を記憶することができるカードを複数ユーザで利用できるようなシステムが求められている。
【０００９】
本発明は上記事情に鑑みてなされたものであり、セキュリティを高めつつ複数ユーザでカードを共有することができるカード管理装置、カード管理システム、カード管理方法及びプログラム提供することを目的とする。
【課題を解決するための手段】
【００１０】
上記目的を達成するため、本発明の第１の観点に係るカード管理装置は、
ネットワークを介して端末装置に接続されるカード管理装置であって、
予めカードを一意に識別するカード識別情報と前記端末装置を一意に識別するユーザ識別情報とを関連付けて記憶する許諾者記憶手段と、
前記端末装置から前記ユーザ識別情報と前記カード識別情報を受信する受信手段と、
前記受信手段が受信した前記ユーザ識別情報と前記カード識別情報及び前記許諾者記憶手段に記憶されている各情報を基に、前記カードを利用することができるユーザの情報を記憶する利用者記憶手段と、を備え、
前記ユーザ識別情報は、前記端末装置のメールアドレスであり、前記カード識別情報は、前記カードのＩＤ番号であり、
前記許諾者記憶手段は、予め前記ＩＤ番号と前記端末装置のメールアドレスとを関連付けて記憶し、
前記受信手段は、前記端末装置から本文に前記ＩＤ番号が記載されている電子メールを受信し、前記電子メールから前記ＩＤ番号と送信元メールアドレスを取得し、
前記利用者記憶手段は、前記許諾者記憶手段に記憶されている前記ＩＤ番号及び前記メールアドレスを基に、前記受信手段が取得した前記送信元メールアドレスをカード利用者の情報として、前記送信元メールアドレスと前記ＩＤ番号とを関連付けて記憶する、
ことを特徴とする。
【００１２】
また、前記利用者記憶手段は、前記端末装置から受信した前記カード識別情報が前記許諾者記憶手段に記憶されているか否かを判別し、該カード識別情報が前記許諾者記憶手段に記憶されている場合、前記端末装置から受信した前記ユーザ識別情報が該カード識別情報に関連付けて前記許諾者記憶手段に記憶されているか否かを判別しても良い。
【００１３】
また、前記利用者記憶手段は、前記許諾者記憶手段に、前記端末装置から受信した前記カード識別情報が記憶されていない場合、または該カード識別情報に関連付けて前記端末装置から受信した前記ユーザ識別情報が記憶されていない場合、該カード識別情報が異常である旨の情報を前記端末装置に送信しても良い。
【００１４】
また、前記利用者記憶手段は、前記許諾者記憶手段に、前記端末装置から受信した前記カード識別情報が記憶されており、かつ、該カード識別情報に関連付けて前記端末装置から受信した前記ユーザ識別情報が記憶されている場合、該ユーザ識別情報と該カード識別情報とを関連付けて記憶し、該カード識別情報が正常である旨の情報を前記端末装置に送信しても良い。
【００１５】
また、ネットワークを介してリーダ装置にさらに接続され、
前記リーダ装置から前記カード識別情報を受信し、前記利用者記憶手段に記憶された情報を基に、前記カード識別情報に対応する前記カードが利用できるか否かを判別する判別手段をさらに備え、
前記判別手段は、前記リーダ装置から受信した前記カード識別情報が前記利用者記憶手段に記憶されているか否かを判別し、該カード識別情報が前記利用者記憶手段に記憶されている場合、該カード識別情報に関連付けられた前記ユーザ識別情報が前記利用者記憶手段に記憶されているか否かを判別しても良い。
【００１６】
また、前記判別手段は、前記利用者記憶手段に、前記リーダ装置から受信した前記カード識別情報が記憶されていない場合、または該カード識別情報に関連付けられた前記ユーザ識別情報が記憶されていない場合、該カード識別情報に対応するカードが利用不可であると判別し、該カードが利用不可である旨の情報を前記リーダ装置に送信しても良い。
【００１７】
また、前記判別手段は、前記利用者記憶手段に、前記リーダ装置から受信した前記カード識別情報が記憶されており、かつ、該カード識別情報に関連付けられた前記ユーザ識別情報が記憶されている場合、前記カード識別情報に対応する前記カードが利用可能であると判別し、該カードが利用可能である旨の情報を前記リーダ装置に送信しても良い。
【００１８】
また、前記許諾者記憶手段は、さらにパスワード情報を関連付けて記憶し、
前記受信手段は、前記端末装置からさらに前記パスワード情報を受信し、
前記利用者記憶手段は、前記許諾者記憶手段に記憶されている前記パスワード情報と前記受信手段が受信した前記パスワード情報とを比較しても良い。
【００１９】
また、前記利用者記憶手段は、所定の時刻が経過した後、前記カード識別情報に関連付けて記憶している前記ユーザ識別情報を削除しても良い。
【００２０】
また、前記カード識別情報は、ＩＣチップを搭載したＩＣカードを一意に識別する識別情報であっても良い。
【００２１】
上記目的を達成するため、本発明の第２の観点に係るカード管理システムは、
カード管理装置と、ネットワークを介して前記カード管理装置に接続される端末装置と、を備えるカード管理システムであって、
前記端末装置は、
カードからカードを一意に識別するカード識別情報と前記カード管理装置のメールアドレスを読み取る読取手段と、
前記読取手段が取得した前記カード識別情報を本文に含め、前記読取手段が取得した前記カード管理装置のメールアドレス宛に電子メールとして送信する電子メール送信手段と、を備え、
前記カード管理装置は、
予め前記カード識別情報と前記端末装置のメールアドレスとを関連付けて記憶する許諾者記憶手段と、
前記端末装置から本文に前記カード識別情報が記載されている前記電子メールを受信し、前記電子メールから前記カード識別情報と送信元メールアドレスを取得する電子メール受信手段と、
前記許諾者記憶手段に記憶されている前記カード識別情報及び前記メールアドレスを基に、前記電子メール受信手段が取得した前記送信元メールアドレスをカード利用者の情報として、前記送信元メールアドレスと前記カード識別情報とを関連付けて記憶する利用者記憶手段と、を備える、
ことを特徴とする。
【００２２】
また、前記読取手段は、前記カードに印刷されている二次元コードから前記カード識別情報と前記カード管理装置のメールアドレスとを読み取っても良い。
【００２３】
また、ネットワークを介して前記カード管理装置に接続されるリーダ装置をさらに備え、
前記リーダ装置は、
前記カードから前記カード識別情報を取得する取得手段と、
前記取得手段が取得した前記カード識別情報を前記カード管理装置に送信する送信手段と、を備え、
前記カード管理装置は、
前記リーダ装置から前記カード識別情報を受信し、前記利用者記憶手段に記憶された情報を基に、前記カード識別情報に対応する前記カードが利用できるか否かを判別する判別手段と、をさらに備えても良い。
【００２４】
上記目的を達成するため、本発明の第３の観点に係るカード管理方法は、
カード管理装置と、ネットワークを介して前記カード管理装置に接続される端末装置と、を備えるシステムでカードを管理する方法であって、
前記端末装置がカードからカードを一意に識別するカード識別情報と前記カード管理装置のメールアドレスを読み取る読取ステップと、
前記端末装置が前記読取ステップで取得した前記カード識別情報を本文に含め、前記読取ステップで取得した前記カード管理装置のメールアドレス宛に電子メールとして送信する電子メール送信ステップと、
前記カード管理装置が予め前記カード識別情報と前記端末装置のメールアドレスとを関連付けて記憶する許諾者記憶ステップと、
前記カード管理装置が前記端末装置から本文に前記カード識別情報が記載されている前記電子メールを受信し、前記電子メールから前記カード識別情報と送信元メールアドレスを取得する電子メール受信ステップと、
前記カード管理装置が前記許諾者記憶ステップで記憶された前記カード識別情報及び前記メールアドレスを基に、前記電子メール受信ステップで取得した前記送信元メールアドレスをカード利用者の情報として、前記送信元メールアドレスと前記カード識別情報とを関連付けて記憶する利用者記憶ステップと、を備える、
ことを特徴とする。
【００２５】
上記目的を達成するため、本発明の第４の観点に係るプログラムは、
ネットワークを介して端末装置に接続されるコンピュータに、
予めカードを一意に識別するカード識別情報と前記端末装置を一意に識別するユーザ識別情報とを関連付けて記憶する許諾者記憶ステップと、
前記端末装置から前記ユーザ識別情報と前記カード識別情報を受信する受信ステップと、
前記受信ステップで受信した前記ユーザ識別情報と前記カード識別情報及び前記許諾者記憶ステップで記憶された各情報を基に、前記カードを利用することができるユーザの情報を記憶する利用者記憶ステップと、を実行させるプログラムであって、
前記ユーザ識別情報は、前記端末装置のメールアドレスであり、前記カード識別情報は、前記カードのＩＤ番号であり、
前記許諾者記憶ステップで、予め前記ＩＤ番号と前記端末装置のメールアドレスとを関連付けて記憶し、
前記受信ステップで、前記端末装置から本文に前記ＩＤ番号が記載されている電子メールを受信し、前記電子メールから前記ＩＤ番号と送信元メールアドレスを取得し、
前記利用者記憶ステップで、前記許諾者記憶ステップで記憶されている前記ＩＤ番号及び前記メールアドレスを基に、前記受信ステップで取得した前記送信元メールアドレスをカード利用者の情報として、前記送信元メールアドレスと前記ＩＤ番号とを関連付けて記憶する、
ことを特徴とする。
【発明の効果】
【００２６】
本発明によれば、セキュリティを高めつつ複数ユーザでカードを共有することができる。
【図面の簡単な説明】
【００２７】
【図１】本発明の実施形態に係るカード管理システムの構成例を示すブロック図である。
【図２】本発明の実施形態に係る各装置のハードウェア構成例を示すブロック図である。
【図３】本発明の実施形態に係るカード管理システムの詳細な構成例を示すブロック図である。
【図４】本発明の実施形態に係るカード管理装置の記憶部が記憶するデータの一例を示す図である。
【図５】本発明の実施形態に係るカード管理システムの動作例を示すフロー図である。
【図６】本発明の実施形態に係るカード管理システムの動作例を示すフロー図である。
【図７】本発明の実施形態に係るカード管理システムの具体的な動作例を説明するための図である。
【図８】本発明の実施形態に係るカード管理装置の記憶部が記憶するデータの一例を示す図である。
【発明を実施するための形態】
【００２８】
本発明の実施形態について、図面を参照して説明する。
【００２９】
本実施形態に係るカード管理システム１は、図１に示すように、カード管理装置１００と、リーダ装置２００１〜２００Ｎと、端末装置３００１〜３００Ｍと、ＩＣカード４００１〜４００Ｋと、から構成される。カード管理システム１は、ユーザにＩＣカードを利用させてサービスを提供する。なお、上述のＮ、Ｍ、Ｋは１以上の自然数である。
【００３０】
リーダ装置２００１〜２００Ｎは、それぞれ構成が同一であるため、以下の説明でリーダ装置２００１〜２００Ｎについて説明する際は、リーダ装置２００と称する。また、端末装置３００１〜３００ＭとＩＣカード４００１〜４００Ｋについても同様に、端末装置３００、ＩＣカード４００と称する。
【００３１】
カード管理装置１００は、ネットワークを介してリーダ装置２００と端末装置３００とに接続されている。カード管理装置１００は、ＩＣカード４００の識別情報とユーザの識別情報とを関連付けて記憶し、ＩＣカード４００の利用者の管理や、ＩＣカード４００の利用認証等を行う。
【００３２】
なお、ＩＣカード４００の識別情報とは、ＩＣカード４００を一意に識別する情報であり、以下の説明では、「ＩＣカード識別情報」と称する。また、ユーザの識別情報とは、ユーザを一意に識別する情報であり、以下の説明では、「ユーザ識別情報」と称する。ＩＣカード識別情報は、ＩＣカード４００のＩＤ番号、シリアル番号等であり、ＩＣカード４００を一意に識別できれば任意である。ユーザ識別情報は、端末装置３００のメールアドレス、電話番号、ＳＩＭ（Ｓｕｂｓｃｒｉｂｅｒ  Ｉｄｅｎｔｉｔｙ  Ｍｏｄｕｌｅ）カードのＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）等である。本実施形態では、ユーザ識別情報として端末装置３００のメールアドレスを採用する。
【００３３】
リーダ装置２００は、ネットワークを介してカード管理装置１００に接続される。リーダ装置２００は、ＩＣカード４００からＩＣカード識別情報を取得し、取得したＩＣカード識別情報をカード管理装置１００に送信する。
【００３４】
端末装置３００は、ネットワークを介してカード管理装置１００に接続される。端末装置３００は、ＩＣカード４００からＩＣカード識別情報を取得し、自装置から取得したユーザ識別情報と共にカード管理装置１００に送信する。
【００３５】
ＩＣカード４００は、ＩＣチップが内蔵されているカードであり、ＩＣチップにＩＣカード識別情報や、その他サービスに関する情報等を記憶している。また、ＩＣカード４００には二次元コードが印刷されており、二次元コードにはＩＣカード識別情報やカード管理装置１００のメールアドレス等が記述されている。二次元コードは、例えばＱＲコード（登録商標）であり、二次元コードに限らず、各情報を取得できれば任意であり、一次元コード（例えばバーコード）等を採用しても良い。
【００３６】
本実施形態では、ＩＣカード４００は非接触型ＩＣカードであり、リーダ装置２００は、ＩＣカード４００が接近することでＩＣカード識別情報を取得する。また、端末装置３００は、二次元コード読み取ることでＩＣカード識別情報を取得する。なお、ＩＣチップに記憶されているＩＣカード識別情報と二次元コードに記述されているＩＣカード識別情報は、ＩＣカード４００を一意に識別できれば良く、異なるものであっても同一であっても良い。ＩＣカード識別情報は、例えば、ＩＣカードのＩＤｍ（固有のＩＤ番号）のような識別情報である。
【００３７】
以上が、カード管理システム１の構成である。
【００３８】
続いて、カード管理システム１を構成する各装置のハードウェア構成の一例について説明する。
【００３９】
カード管理システム１を構成する各装置は、それぞれ図２に示すように、制御部１１と、主記憶部１２と、外部記憶部１３と、操作部１４と、表示部１５と、送受信部１６と、読取部１７と、撮像部１８と、から構成されている。主記憶部１２と、外部記憶部１３と、操作部１４と、表示部１５と、送受信部１６と、読取部１７と、撮像部１８とは、いずれも内部バス１０を介して制御部１１と接続している。
【００４０】
送受信部１６は、シリアルインタフェースまたはＬＡＮ（Ｌｏｃａｌ  Ａｒｅａ  Ｎｅｔｗｏｒｋ）インタフェース等から構成されている。送受信部１６は、図１に示す各装置からネットワーク等を介して送信された情報等を受信する。また、送受信部１６は、受信した情報等を、制御部１１に供給する。
【００４１】
外部記憶部１３は、フラッシュメモリ、ハードディスク、ＤＶＤ−ＲＡＭ（Ｄｉｇｉｔａｌ  Ｖｅｒｓａｔｉｌｅ  Ｄｉｓｃ  Ｒａｎｄｏｍ−Ａｃｃｅｓｓ  Ｍｅｍｏｒｙ）、ＤＶＤ−ＲＷ（Ｄｉｇｉｔａｌ  Ｖｅｒｓａｔｉｌｅ  Ｄｉｓｃ  ＲｅＷｒｉｔａｂｌｅ）等の不揮発性メモリから構成され、後述する各処理を制御部１１に行わせるためのプログラム１９を予め記憶し、また、制御部１１の指示に従って、外部記憶部１３が記憶するデータを制御部１１に供給し、制御部１１から供給されたデータを記憶する。
【００４２】
主記憶部１２は、ＲＡＭ（Ｒａｎｄｏｍ−Ａｃｃｅｓｓ  Ｍｅｍｏｒｙ）等から構成され、外部記憶部１３に記憶されているプログラム１９を読み込み、さらに制御部１１の作業領域としても使用される。
【００４３】
制御部１１は、ＣＰＵ（Ｃｅｎｔｒａｌ  Ｐｒｏｃｅｓｓｉｎｇ  Ｕｎｉｔ）等から構成され、外部記憶部１３に記憶されているプログラム１９に従って、後述する各処理を実行する。
【００４４】
操作部１４は、キーボードやマウス、操作キーやタッチパネルなどの入力デバイス等と、入力デバイス等を内部バス１０に接続するインタフェース装置から構成されている。操作部１４は、ユーザの指示を処理する機能を備え、ユーザの操作によって入力されたデータを制御部１１に供給する。
【００４５】
表示部１５は、ＬＣＤ（Ｌｉｑｕｉｄ  Ｃｒｙｓｔａｌ  Ｄｉｓｐｌａｙ）または有機ＥＬ（Ｅｌｅｃｔｒｏ  Ｌｕｍｉｎｅｓｃｅｎｃｅ）等から構成されている。表示部１５は、各データや情報等を表示する。
【００４６】
読取部１７は、リーダライタ等から構成され、近距離にあるＩＣチップ等と通信し、取得した各情報を制御部１１に供給する。
【００４７】
撮像部１８は、レンズ、シャッター、撮像素子、アナログ−デジタル変換器等から構成される。撮像部１８は、制御部１１からの指示に基づき、被写体画像を撮像する。撮像された画像は、制御部１１に供給される。
【００４８】
なお、カード管理システム１内の各装置は、必ずしも上述の構成要素を備えている必要は無い。上述のハードウェア構成は一般的な情報処理装置の一例であり、例えば、カード管理装置１００は、読取部１７と撮像部１８とを必ずしも備える必要はなく、リーダ装置２００は撮像部１８を必ずしも備える必要は無く、端末装置３００は読取部１７を必ずしも備える必要はない。
【００４９】
以上が、カード管理システム１を構成する各装置のハードウェア構成の一例である。
【００５０】
続いて、カード管理システム１の詳細な構成の一例について説明する。
【００５１】
図３に示すように、カード管理装置１００は、メーラー１１０と、情報制御部１２０と、情報送受信部１３０と、記憶部１４０と、を備える。なお、記憶部１４０は、カード管理装置１００の外部に配置されても良く、カード管理装置１００と通信できれば任意である。
【００５２】
メーラー１１０は、電子メールを送受信し、送受信した電子メールを管理する。また、メーラー１１０は、端末装置３００から電子メールを受信した場合に、電子メールに含まれるＩＣカード識別情報とユーザ識別情報とを取得する。
【００５３】
情報制御部１２０は、記憶部１４０にＩＣカード識別情報やユーザ識別情報を記憶、または記憶部１４０に記憶されている各情報を参照し、ＩＣカード４００の利用認証や利用者の登録等を行う。
【００５４】
情報送受信部１３０は、リーダ装置２００からＩＣカード識別情報を受信し、リーダ装置２００に各種信号を送信する。なお、各種信号は、例えばＩＣカード４００の利用許可を示す信号や、利用不可を示す信号等であり、カード管理装置１００とリーダ装置２００が認識できる形式であれば任意である。
【００５５】
なお、メーラー１１０、情報制御部１２０及び情報送受信部１３０は、プログラム１９により提供され、制御部１１及び主記憶部１２が協働して動作することで実現される機能部である。
【００５６】
記憶部１４０は、外部記憶部１３に構成され、随時情報を記憶する。記憶部１４０は、図４に示すように、ＩＣカード識別情報とユーザ識別情報とを関連付けて記憶する。
【００５７】
許諾者情報テーブル１４１は、各ＩＣカード４００を利用することができるユーザの情報を記憶している。本実施形態では、この情報は管理者によって予め登録されても良く、ユーザがカード管理装置１００のＵＲＬ（Ｕｎｉｆｏｒｍ  Ｒｅｓｏｕｒｃｅ  Ｌｏｃａｔｏｒ）等にアクセスすることで登録しても良い。また、複数のＩＣカード識別情報とユーザ識別情報とを関連付けて記憶しても良い。
【００５８】
利用者情報テーブル１４２は、各ＩＣカード４００を現在利用することができるユーザの情報を記憶している。この情報は随時更新され、管理者はこの情報を参照することで、例えば、ＩＣカード４００に不具合があった場合など、迅速にユーザと連絡を取ることができる。
【００５９】
なお、記憶部１４０は、ユーザ識別情報の他に、ユーザの氏名、住所等も関連付けて記憶しても良い。
【００６０】
図３に戻り、リーダ装置２００は、情報送受信部２１０と、情報取得部２２０と、を備える。
【００６１】
情報送受信部２１０は、後述する情報取得部２２０が取得した情報をカード管理装置１００に送信し、カード管理装置１００から各種信号を受信する。
【００６２】
情報取得部２２０は、ＩＣカード４００が接近すると、読取部１７を介してＩＣカード４００からＩＣカード識別情報を取得し、情報送受信部２１０に出力する。例えば、ユーザがＩＣカードをリーダ装置２００に接近させることで読取部１７がＩＣチップと通信し、情報取得部２２０がＩＣカード識別情報を取得する。
【００６３】
なお、情報送受信部２１０と情報取得部２２０は、プログラム１９により提供され、制御部１１、主記憶部１２及び読取部１７が協働して動作することで実現される機能部である。
【００６４】
端末装置３００は、メーラー３１０と、情報取得部３２０と、を備える。
【００６５】
メーラー３１０は、カード管理装置１００のメーラー１１０と同等の機能を有し、ＩＣカード識別情報とユーザ識別情報を電子メールとしてカード管理装置１００に送信する。
【００６６】
情報取得部３２０は、撮像部１８を介して、ＩＣカード４００に印刷された二次元コード４１０を読み取ることでＩＣカード識別情報とカード管理装置１００のメールアドレスを取得し、メーラー３１０を起動する。例えば、ユーザの指示に従って撮像部１８が二次元コードを撮像し、情報取得部３２０が撮像した二次元コードを解析することで、ＩＣカード識別情報とメールアドレスとを取得する。
【００６７】
なお、メーラー３１０と情報取得部３２０は、プログラム１９により提供され、制御部１１、主記憶部１２及び撮像部１８が協働して動作することで実現される機能部である。
【００６８】
ＩＣカード４００には、二次元コード４１０が印刷されており、二次元コード４１０は、ＩＣカード識別情報とカード管理装置１００のメールアドレスとをコード化したものである。
【００６９】
以上が、カード管理システム１の詳細な構成である。
【００７０】
続いて、カード管理システム１の動作の一例について説明する。カード管理システム１では、ユーザは予めカード管理システム１を利用可能なユーザとして登録されており、ＩＣカード４００を利用する際に、ＩＣカードの利用登録をし、利用し終えるとその登録を削除する。このような動作を行うことで、１枚のＩＣカード４００を複数のユーザで共有することができる。
【００７１】
なお、カード管理システム１の利用が可能なユーザは、予め管理者等により登録されていても良く、ユーザがＷＥＢブラウザ等を用いて登録しても良い。
【００７２】
以下、カード管理システム１において、ユーザがＩＣカード４００の利用登録、利用解除する際の動作の一例について説明する。
【００７３】
ユーザが端末装置３００を操作し、ＩＣカード４００に印刷された二次元コード４１０を端末装置３００に読み取らせると、端末装置３００は、図５に示すように処理を開始する。端末装置３００の情報取得部３２０は、二次元コード４１０を読み取ることでＩＣカード識別情報とカード管理装置１００のメールアドレスを取得し（Ｓ１０１）、メーラー３１０を起動する（Ｓ１０２）。
【００７４】
メーラー３１０は、ＩＣカード識別情報を二次元コード４１０から読み取ったカード管理装置１００のメールアドレスに電子メールとして送信する（Ｓ１０３）。この電子メールは、例えば、宛先がカード管理装置１００のメールアドレスであり、無題で本文がＩＣ識別情報、の電子メールである。
【００７５】
カード管理装置１００は、端末装置３００からメールを受信すると、処理を開始する。カード管理装置１００のメーラー１１０は、端末装置３００から電子メールを受信すると（Ｓ１０４）、受信した電子メールからＩＣカード識別情報を取得する（Ｓ１０５）。また、メーラー１１０は、電子メールからユーザ識別情報を取得する（Ｓ１０６）。この場合、メーラー１１０は、受信した電子メールの送信元メールアドレス、すなわち端末装置３００のメールアドレスを取得する。
【００７６】
次に、情報制御部１２０は、取得したＩＣカード識別情報が記憶部１４０の許諾者情報テーブル１４１に記憶されているか否かを判別する（Ｓ１０７）。
【００７７】
ＩＣカード識別情報が許諾者情報テーブル１４１に記憶されていない場合（Ｓ１０７；ＮＯ）、情報制御部１２０は、メーラー１１０を起動し、端末装置３００にエラーメールを送信し（Ｓ１０９）、処理を終了する。
【００７８】
ＩＣカード識別情報が許諾者情報テーブル１４１に記憶されている場合（Ｓ１０７；ＹＥＳ）、情報制御部１２０は、取得したＩＣカード識別情報にユーザ識別情報が関連付けて記憶されているか否かを判別する（Ｓ１０８）。すなわち、ＩＣカード識別情報に関連付けられているメールアドレスと、受信した電子メールの送信元メールアドレスとを比較する。
【００７９】
ＩＣカード識別情報にユーザ識別情報が関連付けて記憶されていない場合（Ｓ１０８；ＮＯ）、情報制御部１２０は、メーラー１１０を起動し、端末装置３００にエラーメールを送信し（Ｓ１０９）、処理を終了する。
【００８０】
ＩＣカード識別情報にユーザ識別情報が関連付けて記憶されている場合（Ｓ１０８；ＹＳＥ）、情報制御部１２０は、記憶部１４０の利用者情報テーブル１４２を更新し、登録完了メールを端末装置３００に送信し（Ｓ１１１）、処理を終了する。
【００８１】
情報制御部１２０は、利用者情報テーブル１４２を更新する際、該当箇所に既に同一のユーザ識別情報が記憶されている場合、該当箇所のユーザ識別情報を削除し、該当箇所にユーザ識別情報が記憶されていない場合、該当箇所にユーザ識別情報を記憶する。
【００８２】
すなわち、利用者情報テーブル１４２にユーザ識別情報を記憶することは、利用登録を意味し、利用者情報テーブル１４２に記憶しているユーザ識別情報を削除することは、利用解除を意味する。
【００８３】
なお、利用登録の際、仮に利用者情報テーブルに異なるユーザ識別情報が記憶されていた場合、カード管理システム１では、各ユーザが利用終了毎に利用解除することを前提としているため、上書きして登録しても良いが、エラーメールをユーザに送信し、管理者に問い合せるよう促しても良い。
【００８４】
端末装置３００は、登録完了メールを受信すると（Ｓ１１２）、処理を終了する。ユーザは、端末装置３００を操作し、カード管理装置１００から受信したメールを確認することで、ＩＣカード４００を利用できるか否かを判断することができる。
【００８５】
以上が、ユーザがＩＣカード４００の利用登録、利用解除する際の動作の一例である。
【００８６】
続いて、ユーザがＩＣカード４００を利用する際の動作の一例について説明する。
【００８７】
ユーザがＩＣカード４００をリーダ装置２００に接近させることで、リーダ装置２００は、図６に示すように、処理を開始する。
【００８８】
処理を開始すると、リーダ装置２００の情報取得部２２０は、ＩＣカード４００からＩＣカード識別情報を取得し（Ｓ２０１）、取得したＩＣカード識別情報をカード管理装置１００に送信する（Ｓ２０２）。
【００８９】
カード管理装置１００は、リーダ装置２００からＩＣカード識別情報を受信すると、処理を開始する。
【００９０】
処理を開始すると、カード管理装置１００の情報送受信部１３０は、リーダ装置２００からＩＣカード識別情報を受信する（Ｓ２０３）。
【００９１】
次に、情報制御部１２０は、受信したＩＣカード識別情報が記憶部１４０の利用者情報テーブル１４２に記憶されているか否かを判別する（Ｓ２０４）。
【００９２】
ＩＣカード識別情報が利用者情報テーブル１４２に記憶されていない場合（Ｓ２０４；ＮＯ）、情報送受信部１３０は、リーダ装置２００にエラー信号を送信し（Ｓ２０６）、処理を終了する。
【００９３】
ＩＣカード識別情報が利用者情報テーブル１４２に記憶されている場合（Ｓ２０４；ＹＥＳ）、情報制御部１２０は、ＩＣカード識別情報に対応するユーザ識別情報が記憶されているか否かを判別する（Ｓ２０５）。
【００９４】
ＩＣカード識別情報に対応するユーザ識別情報が記憶されていない場合（Ｓ２０５；ＮＯ）、情報送受信部１３０は、リーダ装置２００にエラー信号を送信し（Ｓ２０６）、処理を終了する。
【００９５】
ＩＣカード識別情報に対応するユーザ識別情報が記憶されている場合（Ｓ２０５；ＹＥＳ）、情報送受信部１３０は、リーダ装置２００に利用許可信号を送信し（Ｓ２０７）、処理を終了する。
【００９６】
リーダ装置２００の情報送受信部２１０は、カード管理装置１００から信号を受信すると（Ｓ２０８）、接近しているＩＣカード４００が利用可能か否かを判別する（Ｓ２０９）。
【００９７】
ここでの判別では、情報送受信部２１０は、カード管理装置１００から受信した信号がエラー信号であった場合は、利用不可、利用許可信号であった場合は、利用可能と判別する。
【００９８】
ＩＣカード４００が利用不可であった場合（Ｓ２０９；ＮＯ）、リーダ装置２００は、画面や音声等でＩＣカード４００が利用できない旨をユーザに通知し（Ｓ２１０）、処理を終了する。
【００９９】
ＩＣカード４００が利用可能であった場合（Ｓ２０９；ＹＥＳ）、リーダ装置２００は、画面や音声等でＩＣカード４００が利用できる旨をユーザに通知し（Ｓ２１１）、処理を終了する。
【０１００】
以上が、ユーザがＩＣカードを利用する際の動作の一例である。
【０１０１】
続いて、理解を容易にするため、カード管理システム１の具体的な動作の一例について説明する。以下の具体例では、端末装置３００が携帯電話であり、カード管理システム１を採用した自転車貸し出しシステムの例について説明する。
【０１０２】
図７に示すように、ユーザＡは、時刻Ａ１において、ＩＣカード４００Ａの利用登録を行う。ユーザＡのユーザ識別情報は、メールアドレスの「ＡＡＡ＠ａ．ｎｅ．ｊｐ」であり、ＩＣカード４００ＡのＩＣカード識別情報は、「ＡＡＡＡＡＡＡＡ」である。時刻Ａ１におけるカード管理装置１００には、許諾者情報テーブルにユーザＡのメールアドレスが登録されているため、ユーザＡの利用登録は正常に完了する。これにより、利用者情報テーブルのＩＣカード４００Ａの箇所にはユーザＡの情報が記憶され、ユーザＡは、ＩＣカード４００Ａを利用できることとなる。
【０１０３】
時刻Ａ２において、ユーザＡは、ＩＣカード４００Ａをリーダ装置２００にかざすことで、自転車の施錠を解錠する。時刻Ａ２では、利用者情報テーブルにはユーザＡの情報が記憶されているため、ユーザＡは、正常にＩＣカード４００Ａを利用することができる。これにより、ユーザＡは、自転車に乗ることができる。
【０１０４】
時刻Ａ３において、ユーザＡは、自転車を戻し、ＩＣカード４００Ａをかざして再度自転車を施錠する。また、ユーザＡは、ＩＣカード４００Ａの利用解除を行う。これにより、時刻Ａ３では、利用者情報テーブルからユーザＡの情報が削除される。
【０１０５】
時刻Ａ３以降では、例えばユーザＣが自転車を利用しようとして利用登録をせずにＩＣカード４００Ａをリーダ装置２００にかざしても、利用者情報テーブルにどのユーザの情報も記憶されていないため、リーダ装置２００でエラーが発生し、ユーザＣはＩＣカード４００Ａを利用することができない。
【０１０６】
次に、時刻Ｂ１において、ユーザＢはＩＣカード４００Ａの利用登録を行う。ユーザＢのユーザ識別情報は、メールアドレスの「ｂｂｂ＠ｂ．ｎｅ．ｊｐ」であり、時刻Ｂ１におけるカード管理装置１００には、許諾者情報テーブルにユーザＢのメールアドレスが登録されているため、ユーザＢの利用登録は正常に完了する。
【０１０７】
以降、ユーザＡの時の同様に、時刻Ｂ２において、ユーザＢはＩＣカード４００Ａを用いて自転車の施錠を解錠することができる。
【０１０８】
以上、カード管理システム１の具体的な動作の一例である。
【０１０９】
以上説明したように、本実施形態に係るカード管理システム１は、１つのＩＣカード識別情報に対して複数のユーザ識別情報を関連付けて記憶することができるため、１枚のＩＣカードを複数のユーザで共有することができる。
【０１１０】
また、本実施形態に係るカード管理システム１は、ユーザが利用登録して初めてＩＣカード４００を利用することができるため、セキュリティを高めることができる。
【０１１１】
［変形例］
本発明は、上記実施形態に限定されず、種々の変形例及び応用が可能である。上記具体例では、端末装置３００が携帯電話である場合について説明したが、これに限られず、ＰＤＡ（Ｐｅｒｓｏｎａｌ  Ｄｉｇｉｔａｌ  Ａｓｓｉｓｔａｎｔ）、パーソナルコンピュータ、ゲーム機、ノート型パーソナルコンピュータ等の、ＩＣカード識別情報を取得し、カード管理装置１００に送信することができる各種の端末装置にも適用することができる。
【０１１２】
上記実施形態では、リーダ装置２００がＩＣカード４００に内蔵されているＩＣチップから取得するＩＣカード識別情報と端末装置３００がＩＣカード４００の二次元コードから読み取るＩＣカード識別情報を区別せずに説明したが、これらのＩＣカード識別情報を区別しても良い。すなわち、リーダ装置２００がＩＣカード４００から第１のＩＣカード識別情報を取得し、端末装置３００がＩＣカード４００から第２のＩＣカード識別情報を取得するようにしても良い。
【０１１３】
この構成を採用する場合、カード管理装置１００の記憶部１４０は、図８に示すように、第１のＩＣカード識別情報、第２のＩＣカード識別情報、及びユーザ識別情報を関連付けて記憶する。また、第１のＩＣカード識別情報と第２のＩＣカード識別情報とを関連付けて記憶しているテーブルを新たに設けても良い。第１及び第２のＩＣカード識別情報を関連付けて記憶することで、上述で説明した動作と同様に動作することができる。なお、記憶部１４０は、必ずしも利用者情報テーブル１４２に第２のＩＣカード識別情報を記憶している必要は無く、システムの構成に従って任意に変形することができる。
【０１１４】
また、上記実施形態では、ＩＣチップが搭載され、二次元コードが印刷されたＩＣカードから、ＩＣカード識別情報やカード管理装置１００のメールアドレス等の各情報を取得する構成について説明したが、これに限られず、例えば、磁気カード等を採用した構成にしても良い。
【０１１５】
また、上記実施形態では、ユーザが自主的に利用解除することで利用者情報テーブルの情報を削除する構成について説明したが、これに限られず、カード管理装置１００がタイマ等を備え、所定の時間が経過すると利用者情報テーブルの情報を削除するようにしても良い。この構成を採用することで、さらにセキュリティを高めることができる。
【０１１６】
また、上記実施形態では、端末装置３００が二次元コードを読み取ることでＩＣカード識別情報を取得する構成について説明したが、これに限られず、端末装置３００自体にＩＣカード識別情報を記憶させても良い。すなわち、非接触型ＩＣチップを搭載している端末装置３００を採用することで、端末装置３００とＩＣカード４００とを一体化した構成とすることができる。
【０１１７】
また、ＩＣカード識別情報を取得する方法は任意であり、例えば、端末装置３００の操作部１４等の入力インタフェースを介して取得しても良く、読取部１７を備える端末装置３００が読取部１７を介してＩＣチップの情報を読み取っても良い。
【０１１８】
また、上記実施形態では、カード管理装置１００がＩＣカード識別情報とユーザ識別情報とを関連付けて記憶することで利用登録の際に認証する構成について説明したが、これに限られず、さらにパスワードを関連付けて記憶し、利用登録の際にユーザにパスワードの入力を求める構成にしても良い。この構成を採用する場合、カード管理装置１００は、端末装置３００にＵＲＬを記載したメールを送信し、端末装置３００を操作するユーザがメールに記載されたＵＲＬにアクセスし、パスワードを入力することで利用登録が完了する。この構成を採用することで、さらにセキュリティを高めることができる。
【０１１９】
また、本実施形態に係るカード管理システム１は、専用のシステムによらず、通常のコンピュータシステムを用いて実現可能である。たとえば、上述の動作を実行するためのプログラム１９を、コンピュータが読み取り可能な記録媒体（フレキシブルディスク、ＣＤ−ＲＯＭ、ＤＶＤ−ＲＯＭ等）に格納して配布し、このプログラム１９をコンピュータにインストールすることにより、上述の処理を実行するカード管理システム１を構成してもよい。また、インターネット等の通信ネットワーク上のファイル特定装置が有する記憶装置にこのプログラム１９を格納しておき、通常のコンピュータシステムがダウンロード等することでカード管理システム１を構成してもよい。
【０１２０】
また、カード管理システム１の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【０１２１】
また、搬送波にプログラム１９を重畳し、通信ネットワークを介して配信することも可能である。たとえば、通信ネットワーク上の掲示板（ＢＢＳ：Ｂｕｌｌｅｔｉｎ  Ｂｏａｒｄ  Ｓｙｓｔｅｍ）にこのプログラム１９を掲示し、ネットワークを介してプログラム１９を配信してもよい。そして、このプログラム１９を起動し、ＯＳの制御下で、他のアプリケーションプログラムと同様に実行することにより、上述の処理を実行できるように構成してもよい。
【０１２２】
なお、本発明は、本発明の広義の趣旨及び範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【０１２３】
１                          カード管理システム
１００                      カード管理装置
２００１〜２００Ｎ、２００  リーダ装置
３００１〜３００Ｍ、３００  端末装置
４００１〜４００Ｋ、４００  ＩＣカード
１１０、３１０              メーラー
１２０                      情報制御部
１３０、２１０              情報送受信部
１４０                      記憶部
１４１                      許諾者情報テーブル
１４２                      利用者情報テーブル
２２０、３２０              情報取得部
４１０                      二次元コード
１０                        内部バス
１１                        制御部
１２                        主記憶部
１３                        外部記憶部
１４                        操作部
１５                        表示部
１６                        送受信部
１７                        読取部
１８                        撮像部
１９                        プログラム
【図１】
0005680453.tif 000002
【図２】
0005680453.tif 000003
【図３】
0005680453.tif 000004
【図４】
0005680453.tif 000005
【図５】
0005680453.tif 000006
【図６】
0005680453.tif 000007
【図７】
0005680453.tif 000008
【図８】
0005680453.tif 000009